(57)【特許請求の範囲】
【請求項１】
人体局部に向けて洗浄水を噴出する噴出口を有するノズルと、
前記ノズルに洗浄水を供給する給水源と、
前記ノズルの進退に伴って開閉するシャッターと、
前記ノズルを設置するベースプレートと、
前記ベースプレートに設置された前記ノズルを進退させる駆動手段と、
を備える温水洗浄便座装置であって、
前記シャッターには、前記噴出口から噴出した洗浄水を前記ノズル側に向けて跳ね返す返し部が設けられており、
前記ノズルは、前記シャッターが開き前記噴出口からの洗浄水が前記返し部に当たる前記ベースプレートから前進した位置で、前記返し部に跳ね返された洗浄水により洗浄され、
前記ベースプレートは、前記シャッターが配設される前記ベースプレートの先端に前記ノズルの進退方向に対して垂直になるように前記ベースプレートと一体で形成される遮蔽板を備え、
前記ノズルの先端上部には、斜面が設けられている
温水洗浄便座装置。
【請求項２】
前記シャッターの返し部は、前記噴出口から噴出する洗浄水を前記ノズルの前記噴出口に導く湾曲形状である
ことを特徴とする請求項１に記載の温水洗浄便座装置。
【請求項３】
前記シャッターは、前記ノズルの進退に伴って回動することで開閉する
ことを特徴とする請求項1または請求項２に記載の温水洗浄便座装置。
【発明の詳細な説明】
【技術分野】
【０００１】
本発明は、ノズルを有する温水洗浄便座装置に関する。
【背景技術】
【０００２】
従来技術の図５の温水洗浄便座装置６０は、先端部６１に人体の局部に向けて洗浄水を噴出する噴出口６２を有するノズル６３を備えている。そして、そのノズル６３を進退可能に設置し、ノズル６３を収容するベースプレート６４を備え、ベースプレート６４の先端部６５には、尿はねや汚水の飛び散りを遮蔽するためのシャッター６６を備えている。そのシャッター６６は、ノズル６３の進退に伴って開閉する構造である。ノズル６３は、掃除用洗浄水通路６７からノズル６３に向かって噴出する掃除用洗浄水６８により洗浄される。ノズル６３を洗浄する場合には、ノズル６３をベースプレート６４に収容して、シャッター６６が開いた状態で行う（例えば、特許文献１参照。）。
【先行技術文献】
【特許文献】
【０００３】
【特許文献１】特開２００８−２４０４０３号公報
【発明の概要】
【発明が解決しようとする課題】
【０００４】
しかしながら、特許文献１の温水洗浄便座装置６０では、ノズル６３を洗浄すると、シャッター６６の裏側（ノズル側）やベースプレート６４のノズル６３が収容される部位に汚水が飛び散り、この汚れは、掃除用洗浄水通路６７からの掃除用洗浄水６８では洗浄することができない問題がある。
【０００５】
本発明は、上記問題点に鑑みて成されたものであり、温水洗浄便座装置において、シャッターの裏側を洗浄でき、ベースプレートのノズルが収容される部位の汚れを防止する温水洗浄便座装置を提供することを目的とする。
【課題を解決するための手段】
【０００６】
本発明の第１の課題解決手段は、人体局部に向けて洗浄水を噴出する噴出口を有するノズルと、前記ノズルに洗浄水を供給する給水源と、前記ノズルの進退に伴って開閉するシャッターと、前記ノズルを設置させるベースプレートと、前記ベースプレートに設置された前記ノズルを進退させる駆動手段と、を備える温水洗浄便座装置であって、前記シャッターには、前記噴出口から噴出した洗浄水を前記ノズル側に向けて跳ね返す返し部が設けられており、前記ノズルは、前記シャッターが開き前記噴出口からの洗浄水が前記返し部に当たる前記ベースプレートから前進した位置で、前記返し部に跳ね返された洗浄水により洗浄され、前記ベースプレートは、前記シャッターが配設される前記ベースプレートの先端に前記ノズルの進退方向に対して垂直になるように前記ベースプレートと一体で形成される遮蔽板を備え、前記遮蔽板は、前記返し部からの洗浄水が前記ベースプレート内に侵入するのを抑制し、前記ノズルの先端上部には、斜面が設けられているものである。
【０００７】
また、本発明の第２の課題解決手段は、前記返し部は、前記噴出口から噴出する洗浄水を前記ノズルの前記噴出口に導く湾曲形状である。
【０００８】
また、本発明の第３の課題解決手段は、前記シャッターは、前記ノズルの進退に伴って回動し、前記シャッターの開閉が自在である。
【発明の効果】
【００１０】
本発明の温水洗浄便座装置では、シャッターに、ノズル噴出口から噴出した洗浄水をノズル側に向けて跳ね返すための返し部が設けられている。そして、ノズルの洗浄は、シャッターが開き、噴出口からの洗浄水が返し部に当たるベースプレートから前進した位置で、返し部に跳ね返された洗浄水により洗浄されることにより、シャッターの裏側とノズル噴出口周辺を含むノズル先端面からベースプレート先端までの全体を洗浄することができ、かつ、ベースプレートのノズルが収容される部分に汚水が飛び散って汚れることを防止できる。
【００１１】
また、返し部は、噴出口から噴出する洗浄水をノズルの噴出口に導く湾曲形状であるため、洗浄水の跳ね返りがスムーズであり、汚水が飛び散らず、噴出口を効率的に洗浄することができる。
【００１２】
また、シャッターは、ノズルの進退に伴って回動することで開閉するため、ノズルの進退によって開閉状態を任意に設定できるので、洗浄水の跳ね返り方向を微調整でき、シャッターの裏側と噴出口を効率的に洗浄できる。
【００１３】
また、遮蔽板を設けることにより、洗浄水の跳ね返りがベースプレート内に入ることを防止できる。
【図面の簡単な説明】
【００１４】
【図１】本発明の実施の形態における温水洗浄便座装置の平面図
【図２】本発明の実施の形態におけるお尻洗浄ノズルおよびビデ洗浄ノズル周辺部の斜視図
【図３】本発明の実施の形態におけるお尻洗浄ノズルを、ベースプレートに収容させた状態の説明図
【図４】本発明の実施の形態におけるお尻洗浄ノズルを便器内に前進させて、お尻洗浄ノズル噴出口より洗浄水を噴出している状態の説明図
【図５】従来のお尻洗浄ノズルをベースプレートに収容させた状態で、お尻洗浄ノズルを洗浄している状態の説明図
【発明を実施するための形態】
【００１５】
以下に本発明の実施の形態による温水洗浄便座装置１を説明する。
【００１６】
図１は、本実施の形態における温水洗浄便座装置１の平面図である。温水洗浄便座装置１は、便器２と便座３と便蓋４と便器２の後部上面に固定されるケース５と洗浄水の給水源６と温水タンク１０と洗浄水を噴出するためのお尻洗浄ノズル２０とビデ洗浄ノズル２１とを備えている。そして、お尻洗浄ノズル２０とビデ洗浄ノズル２１を便器内に前進させた状態である。また、給水源６は、ホース７を介して電磁弁８と連結され、その電磁弁８は、ホース９を介して温水タンク１０と連結されている。すなわち、電磁弁８は、給水源６と温水タンク１０との間に介装されている。また、洗浄水の選択や噴出の指令等を行うスイッチ（図示せず）を持つ操作部１１を備える。また、温水タンク１０は、ケース９
の内部に配置される。温水タンク１０内の水は、ヒータ（図示せず）により加熱される。
【００１７】
図２は、本実施の形態におけるお尻洗浄ノズル２０およびビデ洗浄ノズル２１周辺部の斜視図である。お尻洗浄ノズル２０およびビデ洗浄ノズル２１は、ノズルガイドベース４１上を進退する構造であり、お尻洗浄ノズル２０およびビデ洗浄ノズル２１は、便器２内に前進しておらず、ベースプレート４０に収容させた状態である。お尻洗浄ノズル２０およびビデ洗浄ノズル２１は、遮蔽板４３（図３参照）と同一面、あるいは内部後方に位置する。そして、お尻洗浄ノズル２０およびビデ洗浄ノズル２１の先端前部にシャッター３０が備えられ、そのシャッター３０は、ヒンジ３１とアーム（図示せず）により開閉自在に取り付けられている。そして、お尻洗浄ノズル２０およびビデ洗浄ノズル２１を設置させるベースプレート４０を備えており、駆動モーター５０（駆動手段）とギヤ（図示せず）とラック２４（図３参照）によって進退自在に設置されている。そして、お尻洗浄ノズル２０とビデ洗浄ノズル２１には、洗浄水を噴出するためのお尻洗浄ノズル噴出口２２とビデ洗浄ノズル噴出口２３を備える。
【００１８】
図３は、本実施の形態におけるお尻洗浄ノズル２０を、ベースプレート４０に収容させた状態の説明図である。お尻洗浄ノズル２０は、ベースプレート４０に収容されており、お尻洗浄ノズル２０の下部にラック２４が形成されている。そして、ラック２４は、ギヤ（図示せず）と係合する。ラック２４は、ギヤからの動力を受けて、お尻洗浄ノズル２０を進退させる。また、お尻洗浄ノズル２０は、便器２内に前進していない収容状態である。お尻洗浄ノズル噴出口２２は、閉じたシャッター３０の後方に位置する。またシャッター３０は、ばね（図示せず）により閉方向に付勢されている。遮蔽板４３は、シャッター３０の後方で、お尻洗浄ノズル噴出口２２より前方に位置する。
【００１９】
図４は、本実施の形態におけるお尻洗浄ノズル２０を便器２内に前進させて、お尻洗浄ノズル噴出口２２より洗浄水を噴出している状態の説明図である。シャッター３０の裏側には、ヒンジ３１側の位置に返し部３２が形成され、ヒンジ３１側と反対方向に突起部３３を有している。また、お尻洗浄ノズル噴出口２２は、返し部３２より前部に位置する。
【００２０】
お尻洗浄ノズル２０の先端上部には、斜面２５が設けられている。お尻洗浄ノズル２０が前進すると、お尻洗浄ノズル２０の斜面２５とシャッター３０の突起部３３が当接することにより、シャッター３０を開方向に押し上げて、シャッター３０を閉状態から半開状態（開き）にする。上記方法により、お尻洗浄ノズル噴出口２２と返し部３２を所望の位置関係に調整することができる。したがって、お尻洗浄ノズル噴出口２２から噴出する洗浄水は、シャッター３０の裏側で跳ね返り、跳ね返された洗浄水は、お尻洗浄ノズル噴出口２２周辺を洗浄するのに十分な量を当てることができ、また、お尻洗浄ノズル噴出口２２から噴出された洗浄水が、シャッター３０の外側（前部）に飛び散ることを抑制することができる。また、お尻洗浄ノズル２０の先端上部に斜面２５が設けられていることにより、お尻洗浄ノズル２０のノズル先端面２６の洗浄も容易にできる。なお、シャッター３０に設けられた突起部３３やお尻洗浄ノズル２０の先端上部に設けられた斜面２５については、これらの形状に限定するものではない。返し部３２は、洗浄水をお尻洗浄ノズル噴出口２２と及びベースプレート４０の先端前部に跳ね返すように湾曲形状を呈している。そして、お尻洗浄ノズル噴出口２２とシャッター３０の間には、略三角形状の空間が設けられている。また、シャッター３０が配設されるベースプレート先端４２には、シャッター３０に向けられた洗浄水の跳ね返りがベースプレート４０の内部へ浸入するのを防止する遮蔽板４３が設けられている。
【００２１】
そして、遮蔽板４３は、お尻洗浄ノズル２０の進退方向に対して垂直になるようにベースプレート４０と一体で形成される。遮蔽板４３は、お尻洗浄ノズル２０の進退方向に対して垂直になるようにベースプレート４０と一体で形成される。ただし、遮蔽板４３は、お尻洗浄ノズル２０の進退方向に対して垂直のみに限定されるものではない。
【００２２】
つぎに、本発明の実施形態による温水洗浄便座１の作用（動作）を説明する。
【００２３】
操作部１１のスイッチが操作されると、制御回路１２により、電磁弁８が開き、洗浄水が給水源６から温水タンク１０内に導入される。温水タンク１０で加熱された洗浄水は、切替弁（図示せず）を介してお尻洗浄ノズル２０に導かれる。そして、お尻洗浄ノズル２０は、ベースプレート４０から便器２内に前進することで、シャッター３０と当接し、シャッター３０を押し上げて半開状態に保持する。この半開状態に保持されて、お尻洗浄ノズル噴出口２２から、シャッター３０の裏側の返し部３２に向けて、洗浄水を噴出する。
【００２４】
噴出した洗浄水は、返し部３２の湾曲形状に沿って流動し、その洗浄水の一部は、シャッター３０の裏側の返し部３２からシャッター３０の突起部３３方向まで洗浄水が流れることにより、シャッター３０の裏側全体を洗浄できる。さらに、噴出した洗浄水の一部は、お尻洗浄ノズル噴出口２２周辺に向けて跳ね返り、お尻洗浄ノズル噴出口２２周辺を含むノズル先端面２６からベースプレート先端４２までの全体を洗浄し、便器２内に流れ落ちる。なお、ビデ洗浄ノズル２１を洗浄する際も、上記のお尻洗浄ノズル２０と同様である。
【００２５】
つぎに、本発明の実施形態による温水洗浄便座装置１の効果を説明する。
【００２６】
本発明の温水洗浄便座装置１では、シャッター３０に、お尻洗浄ノズル噴出口２２から噴出した洗浄水をお尻洗浄ノズル２０側に向けて跳ね返すための返し部３２が設けられている。そして、お尻洗浄ノズル２０の洗浄は、シャッター３０が開きお尻洗浄ノズル噴出口２２からの洗浄水が返し部３２に当たるベースプレート４０から前進した位置で、返し部３２に跳ね返された洗浄水により洗浄される。したがって、噴出口２２、２３からの洗浄水を返し部３２に当てることができ、シャッター３０の裏側を洗浄することができ、かつ、ベースプレート４０のノズルが収容される部分に汚水が飛び散って汚れることを防止できる。さらに、ベースプレート先端４２を洗浄することができる。
【００２７】
また、返し部３２は、お尻洗浄ノズル噴出口２２から噴出する洗浄水を、お尻洗浄ノズル２０のお尻洗浄ノズル噴出口２２に導く湾曲形状であるため、洗浄水の跳ね返りがスムーズであり、汚水が飛び散らない。そして、お尻洗浄ノズル噴出口２２を効率的に洗浄することができる。
【００２８】
また、シャッター３０の開閉状態を任意に設定できるので、洗浄水の跳ね返り方向を微調整でき、シャッター３０の裏側と噴出口２２、２３を効率的に洗浄できる。
【００２９】
また、ベースプレート４０に備える遮蔽板４３により、洗浄水の跳ね返りがベースプレート４０内に入ることを防止できる。
【００３０】
上記洗浄方法は、噴出口２２、２３周辺の汚れを洗浄でき、従来と同等の洗浄効果も得られるため、従来の温水洗浄便座装置に洗浄機能のために設けられていた掃除用洗浄水を供給するための掃除用洗浄水供給口６７や給水ホースや流路切替えが不要となり、温水洗浄便座装置１のコストダウンと小型化ができる。
【００３１】
なお、ノズル２０、２１を進退させるための駆動手段は、実施例の駆動モーター以外に水圧応答式も適用できる。
【符号の説明】
【００３２】
１  温水洗浄便座装置
６  給水源
２０  お尻洗浄ノズル（ノズル）
２１  ビデ洗浄ノズル（ノズル）
２２  お尻洗浄ノズル噴出口（噴出口）
２３  ビデ洗浄ノズル噴出口（噴出口）
２５  斜面
２６  ノズル先端面
３０  シャッター
３２  返し部
４０  ベースプレート
４２  ベースプレート先端
４３  遮蔽板
５０  駆動モーター（駆動手段）
【図１】
0005782898.tif 000002
【図２】
0005782898.tif 000003
【図３】
0005782898.tif 000004
【図４】
0005782898.tif 000005
【図５】
0005782898.tif 000006